(57)【特許請求の範囲】
【請求項１】
拡開可能なスリット部が長手方向に沿って設けられているコルゲートチューブをワイヤーハーネスに被せて取り付けるコルゲートチューブ取付け治具であって、
横断面の形状がほぼＵ字状をなすように底部の両側に１対の側壁部が前記ワイヤーハーネスを前記底部側に落し込み可能な幅で設けられていて前記コルゲートチューブ内にそのスリット部から前記底部が挿入されて前記両側壁部で前記コルゲートチューブの前記スリット部の両側の各スリット縁部を支えて拡開状態を保持する治具本体を備え、前記両側壁部のうちの一方の側壁部には前記治具本体を前記コルゲートチューブに対して相対的に進行させる方向の後部に、該一方の側壁部で支えられる前記コルゲートチューブの一方のスリット縁部を支えないように切欠き部が設けられていることを特徴とするコルゲートチューブ取付け治具。
【請求項２】
コルゲートチューブ取付け治具を用いて、拡開可能なスリット部が長手方向に沿って設けられているコルゲートチューブをそのスリット部を拡開してワイヤーハーネスに被せて該スリット部の両側の各スリット縁部が相互にオーバーラップ状態となるようにして取り付けるワイヤーハーネスに対するオーバーラップ型コルゲートチューブの取付け方法であって、
前記コルゲートチューブ取付け治具として、横断面の形状がほぼＵ字状をなすように底部の両側に１対の側壁部が前記ワイヤーハーネスを前記底部側に落し込み可能な幅で設けられていてコルゲートチューブ内にそのスリット部から前記底部が挿入されて前記両側壁部でコルゲートチューブのスリット部の両側の各スリット縁部を支えて拡開状態を保持する治具本体を備え、前記両側壁部のうちの一方の側壁部には治具本体をコルゲートチューブに対して相対的に進行させる方向の後部に、該一方の側壁部で支えられるコルゲートチューブの一方のスリット縁部を支えないように切欠き部が設けられている構造のものを用い、
前記治具本体をその底部を下にして前記コルゲートチューブ内に前記スリット部を拡開して挿入し、治具本体の両側壁部でコルゲートチューブのスリット部の両側の各スリット縁部を支えて拡開状態を保持し、治具本体の両側壁部の間の上部から前記ワイヤーハーネスを前記底部側に落し込み、かかる状態で治具本体をコルゲートチューブに対して前記切欠き部が後になるようにして相対的に移動させて抜き取ることを特徴とするワイヤーハーネスに対するオーバーラップ型コルゲートチューブの取付け方法。
【発明の詳細な説明】
【０００１】
【発明の属する技術分野】
本発明は、拡開可能な割れ部が長手方向に沿って設けられているコルゲートチューブをワイヤーハーネスに被せて取り付けるコルゲートチューブ取付け治具及びこのコルゲートチューブ取付け治具を用いたワイヤーハーネスに対するオーバーラップ型コルゲートチューブの取付け方法に関する。
【０００２】
【従来の技術】
図６は通常のコルゲートチューブを示し、図７（Ａ）（Ｂ）は従来のコルゲートチューブ取付け治具及びこのコルゲートチューブ取付け治具を用いたワイヤーハーネスに対するコルゲートチューブの取付け方法を示したものである。通常のコルゲートチューブ１Ａは、図６に示すようにその周方向に拡開可能なスリット部２が長手方向に沿って設けられ、スリット部２の両側のスリット縁部２ａ，２ｂが相互に突き合わされた構造になっている。
【０００３】
コルゲートチューブ取付け治具１０は、図７（Ａ），（Ｂ）に示すように横断面の形状がほぼＵ字状をなすように底部１１ａの両側に１対の側壁部１１ｂ，１１ｃがワイヤーハーネス３を底部１１ａ側に落し込み可能な幅で設けられている治具本体１１を備え、両側壁部１１ｂ，１１ｃの各上縁部は底部１１ａに対して傾斜をなすように設けられ、且つこれら両側壁部１１ｂ，１１ｃの上縁部には外向きにフランジ部１２ａ，１２ｂが設けられ、底部１１ａからの立上がりが高い側の両側壁部１１ｂ，１１ｃには作業者が治具本体１１を指で保持するための孔１３ａ，１３ｂが設けられた構造になっている。
【０００４】
このようなコルゲートチューブ取付け治具１０は、図７に示すように治具本体１１の両側壁部１１ｂ，１１ｃの間の上部からワイヤーハーネス３を底部１１ａ側に落し込み、かかる状態で治具本体１１の両側壁部１１ｂ，１１ｃの間隔を狭めて、これら側壁部１１ｂ，１１ｃをコルゲートチューブ１Ａの拡開可能なスリット部２に差し込み、フランジ部１２ａ，１２ｂをコルゲートチューブ１Ａ内に入れて矢印で示す方向にコルゲートチューブ１Ａを移動させると、コルゲートチューブ１Ａのスリット部２が両側壁部１１ｂ，１１ｃで拡開されつつ、拡開されたスリット部２からコルゲートチューブ１Ａがワイヤーハーネス３に徐々に嵌められて取付けられることになる。
【０００５】
【発明が解決しようとする課題】
しかしながら、このような従来のコルゲートチューブ取付け治具１０では、ワイヤーハーネス３に対してコルゲートチューブ１Ａを滑らせながら取付けを行うために、ワイヤーハーネス３とコルゲートチューブ１Ａとの間の摩擦力が大きく、コルゲートチューブ１Ａを滑らせ難く、作業性が悪い問題点があった。
【０００６】
また、図８に示すようなスリット部２の両側の各スリット縁部２ａ，２ｂが、そのうちの一方のスリット縁部２ａが上となり、他方のスリット縁部２ｂが下でとなるように相互にオーバーラップ状態となるオーバーラップ型コルゲートチューブ１Ｂを用いて、ワイヤーハーネス３に取り付ける場合には、スリット縁部２ａ，２ｂのうち一方のスリット縁部２ａが常に上となり、他方のスリット縁部２ｂが常に下でとなるようにオーバーラップ状態の方向付けをすることができず、オーバーラップ状態がまちまちになる問題点があった。
【０００７】
本発明の目的は、ワイヤーハーネスに対してコルゲートチューブを滑らせずに、ワイヤーハーネスにコルゲートチューブを被せることができるコルゲートチューブ取付け治具及びワイヤーハーネスに対するオーバーラップ型コルゲートチューブの取付け方法を提供することにある。
【０００８】
本発明の他の目的は、ワイヤーハーネスに対してコルゲートチューブを滑らせずに、ワイヤーハーネスにコルゲートチューブを被せることができ、しかもコルゲートチューブのスリット部の両側の各スリット縁部が常に一方が下で他方が上となるように方向付けをしてオーバーラップ状態にすることができるコルゲートチューブ取付け治具及びワイヤーハーネスに対するオーバーラップ型コルゲートチューブの取付け方法を提供することにある。
【０００９】
【課題を解決するための手段】
請求項１に記載の発明は、拡開可能なスリット部が長手方向に沿って設けられているコルゲートチューブをワイヤーハーネスに被せて取り付けるコルゲートチューブ取付け治具であって、横断面の形状がほぼＵ字状をなすように底部の両側に１対の側壁部が前記ワイヤーハーネスを前記底部側に落し込み可能な幅で設けられていて前記コルゲートチューブ内にそのスリット部から前記底部が挿入されて前記両側壁部で前記コルゲートチューブの前記スリット部の両側の各スリット縁部を支えて拡開状態を保持する治具本体を備え、前記両側壁部のうちの一方の側壁部には前記治具本体を前記コルゲートチューブに対して相対的に進行させる方向の後部に、該一方の側壁部で支えられる前記コルゲートチューブの一方のスリット縁部を支えないように切欠き部が設けられていることを特徴とする。
【００１０】
このようなコルゲートチューブ取付け治具では、前記治具本体をその底部を下にして前記コルゲートチューブ内に前記スリット部を拡開して挿入し、前記治具本体の両側壁部で前記コルゲートチューブのスリット部の両側の各スリット縁部を支えて拡開状態を保持させ、治具本体の両側壁部の間の上部から前記ワイヤーハーネスを前記底部側に落し込み、かかる状態で治具本体を前記コルゲートチューブに対して相対的に移動させて抜き取るように使用することにより、治具本体の相対的な進行方向の後方で前記コルゲートチューブのスリット部の両側の各スリット縁部が治具本体の両側壁部から順次外れて前記ワイヤーハーネスに巻き付き、前記コルゲートチューブが前記ワイヤーハーネスに取付けられる。
【００１１】
そして使用にあたり相対的に動かすのは前記治具本体の方であり、該治具本体はその長さが比較的短いとともに前記ワイヤーハーネスとの摩擦抵抗も小さく、また前記コルゲートチューブと前記ワイヤーハーネスとの擦れが無いので、ワイヤーハーネスにコルゲートチューブを取付ける作業が容易となる。
【００１２】
請求項２に記載の発明は、コルゲートチューブ取付け治具を用いて、拡開可能なスリット部が長手方向に沿って設けられているコルゲートチューブをそのスリット部を拡開してワイヤーハーネスに被せて該スリット部の両側の各スリット縁部が相互にオーバーラップ状態となるようにして取り付けるワイヤーハーネスに対するオーバーラップ型コルゲートチューブの取付け方法であって、前記コルゲートチューブ取付け治具として、横断面の形状がほぼＵ字状をなすように底部の両側に１対の側壁部が前記ワイヤーハーネスを前記底部側に落し込み可能な幅で設けられていてコルゲートチューブ内にそのスリット部から前記底部が挿入されて前記両側壁部でコルゲートチューブのスリット部の両側の各スリット縁部を支えて拡開状態を保持する治具本体を備え、前記両側壁部のうちの一方の側壁部には治具本体をコルゲートチューブに対して相対的に進行させる方向の後部に、該一方の側壁部で支えられるコルゲートチューブの一方のスリット縁部を支えないように切欠き部が設けられている構造のものを用い、前記治具本体をその底部を下にして前記コルゲートチューブ内に前記スリット部を拡開して挿入し、治具本体の両側壁部でコルゲートチューブのスリット部の両側の各スリット縁部を支えて拡開状態を保持し、治具本体の両側壁部の間の上部から前記ワイヤーハーネスを前記底部側に落し込み、かかる状態で治具本体をコルゲートチューブに対して前記切欠き部が後になるようにして相対的に移動させて抜き取ることを特徴とする。
【００１３】
このようなワイヤーハーネスに対するオーバーラップ型コルゲートチューブの取付け方法によれば、前記コルゲートチューブ取付け治具を用い、治具本体をその底部を下にして前記コルゲートチューブ内に前記スリット部を拡開して挿入し、前記治具本体の両側壁部で前記コルゲートチューブの前記スリット部の両側の前記各スリット縁部を支えて拡開状態を保持させ、前記治具本体の前記両側壁部の間の上部から前記ワイヤーハーネスを前記底部側に落し込み、かかる状態で前記治具本体を前記コルゲートチューブに対して相対的に移動させて抜き取るようにしたから、前記治具本体の相対的な進行方向の後方で前記コルゲートチューブの両側の各スリット縁部が前記治具本体の両側壁部から外れるに従って、前記コルゲートチューブの両側の各スリット縁部がオーバーラップするように前記ワイヤーハーネスに巻き付きく。
【００１４】
このとき、前記治具本体の前記両側壁部のうちの一方の前記側壁部には前記治具本体を前記コルゲートチューブに対して相対的に進行させる方向の後部に、該一方の側壁部で支えられる前記コルゲートチューブの一方の前記スリット縁部を支えないように切欠き部が設けられているので、前記治具本体の相対的な進行方向の後方で前記切欠き部で支えられていない一方の前記スリット縁部が先に前記ワイヤーハーネスに巻き付き、次に他方の前記スリット縁部が一方の前記スリット縁部にオーバーラップするように巻き付くことになり、コルゲートチューブのスリット部の両側の各スリット縁部が常に一方が下で他方が上となるように方向付けされてオーバーラップ状態に前記コルゲートチューブを前記ワイヤーハーネスに取付けることができる。
【００１５】
そして、この方法では相対的に動かすのは前記治具本体の方であり、該治具本体はその長さが比較的短いとともに前記ワイヤーハーネスとの摩擦抵抗も小さく、また前記コルゲートチューブと前記ワイヤーハーネスとの擦れが無いので、ワイヤーハーネスにコルゲートチューブを取付ける作業が容易となる。
【００１６】
【発明の実施の形態】
図１は本発明に係るコルゲートチューブ取付け治具における実施の形態の一例を示す斜視図であり、図２は本例のコルゲートチューブ取付け治具をオーバーラップ型コルゲートチューブ１Ｂに嵌めた状態を示す斜視図である。
【００１７】
本例のコルゲートチューブ取付け治具４は、横断面の形状がほぼＵ字状をなすように底部５ａの両側に１対の側壁部５ｂ，５ｃがワイヤーハーネス３を底部５ａ側に落し込み可能な幅で設けられていて、前記コルゲートチューブ１Ｂ内にそのスリット部２から底部５ａが挿入されて両側壁部５ｂ，５ｃでコルゲートチューブ１ｂのスリット部２の両側の各スリット縁部２ａ，２ｂを支えて拡開状態を保持する治具本体５を備えている。そして、前記両側壁部５ｂ，５ｃのうちの一方の側壁部５ｂには治具本体５をコルゲートチューブ１Ｂに対して相対的に進行させる方向の後部端部に、該一方の側壁部５ｂで支えられるコルゲートチューブ１Ｂの一方の割れ縁部２ａを支えないように切欠き部６が設けられた構造になっている。
【００１８】
前記Ｕ字状をなす底部５ａの内径はワイヤーハーネス３の取付対象部位の外形よりも大径となっている。また、このコルゲートチューブ取付け治具４においては、底部５ａと両側壁部５ｂ，５ｃの上端が、従来のものと違って、切欠き部６の箇所を除いて平行になっている。
【００１９】
次に、上記のように構成されたコルゲートチューブ取付け治具５を用いて、ワイヤーハーネス３にオーバーラップ型コルゲートチューブを嵌め付ける本例のワイヤーハーネスに対するオーバーラップ型コルゲートチューブの取付け方法について、図１〜図５を参照して説明する。
【００２０】
前述した図１に示すコルゲートチューブ取付け治具４を用い、前述した図８に示すオーバーラップ型のコルゲートチューブ１Ｂのスリット部２を拡開して、図２に示すように該コルゲートチューブ取付け治具４の治具本体５をその底部５ａを下にしてコルゲートチューブ１Ｂ内に挿入し、該底部５ａをコルゲートチューブ１Ｂ内の底部に付ける。かかる状態になると、治具本体５は、図２に示すようにその両側壁部５ｂ，５ｃでコルゲートチューブ１Ｂのスリット部２の両側の各スリット縁部２ａ，２ｂを支えて拡開状態を保持する。
【００２１】
このときのコルゲートチューブ１Ｂの拡開状態は、前記治具本体５の両側壁部５ｂ，５ｃのうちの一方の側壁部５ｂには治具本体５をコルゲートチューブ１Ｂに対して相対的に進行させる方向の後部端部に、該一方の側壁部５ｂで支えられるコルゲートチューブ１Ｂの一方の割れ縁部２ａを支えないように切欠き部６が設けられた構造になっているので、コルゲートチューブ１Ｂのスリット縁部２ａの前記切欠き部６の箇所に位置する部分が僅かに内側に巻き込んだ状態となる。
【００２２】
次に、図３に示すように治具本体５の両側壁部５ｂ，５ｃの間の上部からワイヤーハーネス３を底部４ａ側に落し込む。かかる状態から、治具本体５をコルゲートチューブ１Ｂに対して切欠き部６が後になるようにして図３に矢印で示すように相対的に移動させて抜き取る。
【００２３】
この移動により、治具本体５の進行方向の後方で前記コルゲートチューブ１Ｂのスリット部２の両側の各スリット縁部２ａ，２ｂが治具本体５の両側壁部５ｂ，５ｃから順次外れて前記ワイヤーハーネス３の外周に巻き付く。このとき、コルゲートチューブ１Ｂのスリット縁部２ａの前記切欠き部６の箇所に位置する部分、即ちスリット縁部２ａの後部端部が僅かに内側に巻き込んだ状態となっているので、先ず治具本体５の相対的な進行方向の後方で前記切欠き部６で支えられていない前記スリット縁部２ａが先に前記ワイヤーハーネスに巻き付き（図４）、次に前記スリット縁部２ｂが前記スリット縁部２ａにオーバーラップするように巻き付き、そして、前記治具本体５をコルゲートチューブ１Ｂから抜き取ると、コルゲートチューブ１Ｂのスリット部２のスリット縁部２ｂがスリット縁部２ａの上に重なったオーバーラップ状態に前記コルゲートチューブ１Ｂを前記ワイヤーハーネス３に取付けることができる（図５）。
【００２４】
上記のように、本発明に係る如きコルゲートチューブ取付け治具４を用たワイヤーハーネス３へのコルゲートチューブ１Ａの取付けでは、相対的に動かすのは前記治具本体５の方であり、該治具本体５はその長さが比較的短いとともに前記ワイヤーハーネス３との摩擦抵抗も小さく、また前記コルゲートチューブ１Ａと前記ワイヤーハーネス３との擦れが無いので、ワイヤーハーネス３にコルゲートチューブ１Ａを取付ける作業が容易となる。
【００２５】
また、前記治具本体５の前記両側壁部５ｂ，５ｃのうちの一方の前記側壁部５ｂには前記治具本体５を前記コルゲートチューブ１Ｂに対して相対的に進行させる方向の後部に、該側壁部５ｂで支えられる前記コルゲートチューブ１Ｂの一方の前記スリット縁部２ａを支えないように切欠き部６が設けられているので、治具本体５をコルゲートチューブ１Ｂに対して切欠き部６が後になるようにして相対的に移動させたとき、前記コルゲートチューブ１Ｂは常に切欠き部６が設けてある側壁部５ｂに支えられているスリット縁部２ａが先にワイヤーハーネス３に巻き付き、次にスリット縁部２ｂ前記スリット縁部２ａにオーバーラップするように巻き付くことになり、コルゲートチューブ１Ｂのスリット部２の両側の各スリット縁部２ａ，２ｂのオーバーラップ部の方向性が常に一定となって、前記コルゲートチューブ１Ｂを前記ワイヤーハーネス３に取付けることができる。
【００２６】
なお、このコルゲートチューブ取付け治具４は、図６に示すスリット縁部２ａ，２ｂが相互に突き合わされる通常のコルゲートチューブ１Ａをワイヤーハーネス３に取り付ける場合にも用いることができる。
【００２７】
【発明の効果】
以上のように本発明に係るコルゲートチューブ取付け治具では、治具本体をその底部を下にしてコルゲートチューブ内にそのスリット部を拡開して挿入し、治具本体の両側壁部でコルゲートチューブのスリット部の両側の各スリット縁部を支えて拡開状態を保持させ、治具本体の両側壁部の間の上部からワイヤーハーネスを底部側に落し込み、かかる状態で治具本体をコルゲートチューブに対して相対的に移動させて、治具本体の相対的な進行方向の後方でコルゲートチューブをワイヤーハーネスに巻き付かせるので、相対的に動かすのは治具本体の方であり、該治具本体はその長さが比較的短く、摩擦抵抗も小さく、作業性よくワイヤーハーネスにコルゲートチューブを取付けることができ、さらに、前記治具本体の前記両側壁部のうちの一方の前記側壁部には前記治具本体を前記コルゲートチューブに対して相対的に進行させる方向の後部に、該一方の側壁部で支えられる前記コルゲートチューブの一方の前記スリット縁部を支えないように切欠き部が設けられているので、オーバーラップ型コルゲートチューブの取付に用いたとき、オーバーラップ部の方向性が常に一定となるように前記コルゲートチューブを前記ワイヤーハーネスに取付けることができる。
【図面の簡単な説明】
【図１】本発明に係るコルゲートチューブ取付け治具における実施の形態の一例を示す斜視図である。
【図２】図１に示すコルゲートチューブ取付け治具を、オーバーラップ型コルゲートチューブ内にそのスリット部を拡開して挿入した状態を示す斜視図である。
【図３】図２に示すようにコルゲートチューブ取付け治具で拡開が保持されているオーバーラップ型コルゲートチューブ内に該コルゲートチューブ取付け治具を介してワイヤーハーネスを落とし込んだ状態を示す斜視図である。
【図４】図３に示す状態でコルゲートチューブ取付け治具の後部の切欠き部でオーバーラップ型コルゲートチューブの一方のスリット縁部が支えられずに先にワイヤーハーネスに巻き付く状態を示す平面図である。
【図５】オーバーラップ型コルゲートチューブがワイヤーハーネスに巻き付いた状態を示す斜視図である。
【図６】通常のコルゲートチューブの斜視図である。
【図７】（Ａ）、（Ｂ）は従来のコルゲートチューブ取付け治具を用いたワイヤーハーネスに対するコルゲートチューブの取付け方法の工程を示した斜視図である。
【図８】オーバーラップ型コルゲートチューブの斜視図である。
【符号の説明】
１Ａ  通常のコルゲートチューブ
１Ｂ  オーバーラップ型コルゲートチューブ
２  スリット部
２ａ，２ｂ  スリット縁部
３  ワイヤーハーネス
４  コルゲートチューブ取付け治具
５  治具本体
５ａ  底部
５ｂ，５ｃ  側壁部
６  切欠き部
【図１】
0003941991.tif 000002
【図２】
0003941991.tif 000003
【図３】
0003941991.tif 000004
【図４】
0003941991.tif 000005
【図５】
0003941991.tif 000006
【図６】
0003941991.tif 000007
【図７】
0003941991.tif 000008
【図８】
0003941991.tif 000009